(57)【要約】【課題】  初筆時に塗布液がチップの先端からスムーズにに吐出する塗布具を提供する。【解決手段】  押出し管２２を有し、球状塗布体３１を回転自由に抱持したチップ３０を嵌着した先口２０を軸筒の先端開口に取り付け、詰め栓４２で封止された塗布液タンク４０を、この先端開口が押出し管に仮止めされた状態で軸筒１０内に収容し、初筆時において塗布液タンクの尾端部を押し込むと押出し管によって塗布液タンクの詰め栓が後退して先端開口の封止が解除され、塗布液がチップに供給されて塗布可能となり、塗布液タンクを押し込んだ後に、尾端筒５０をねじ込んで螺進させ、尾端筒の内部に形成された内段５２を塗布液タンクの外段４９に当接させる。また、軸筒と尾端筒の間にスペーサ６０を介装する。【選択図】  図１
2005144971.tif 000002
【特許請求の範囲】
【請求項１】
先端の中心孔に球状塗布体を回転自由に抱持したチップが嵌着され、該中心孔に連通する押出し管を有する先口が軸筒の先端開口に取り付けられ、
先端開口が詰め栓で封止されて、内部に塗布液が充填されるとともに撹拌子が収容された塗布液タンクが、該先端開口が該押出し管に仮止めされた状態で軸筒内に収容されてなり、
初筆時において軸筒の尾端部に螺進可能に取り付けられた尾端筒から突出する塗布液タンクの尾端部を押し込むと、塗布液タンク先端の嵌着部が押出し管に嵌着され、押出し管によって該塗布液タンクの詰め栓が後退して先端開口の封止が解除され、塗布液がチップに供給されて塗布可能となり、
塗布液タンクを押し込んだ後に、該尾端筒をねじ込んで螺進させると、該尾端筒の内部に形成された内段が塗布液タンクの外段に当接することを特徴とする塗布具。
【請求項２】
前記軸筒と尾端筒の間にスペーサが介装され、塗布液タンクを押し込んだ後、該スペーサを除去すると尾端筒が螺進可能になることを特徴とする請求項１記載の塗布具。
【発明の詳細な説明】
【技術分野】
【０００１】
本発明は、修正液や化粧液など、顔料が溶媒内に分散した粘度の高い塗布液が充填された塗布具に関するものである。
【背景技術】
【０００２】
塗布体が球状の塗布具は、筆記具の軸筒に相当する塗布液タンク内に顔料が溶媒内に分散した粘度の高い塗布液が充填されており、この塗布液タンクの先端に直接あるいは先口を介してチップが取り付けられいる。そして、ボールペンと同様に、チップの先端からその一部が先端から臨出した状態で球状塗布体が回転自由に抱持されている。この球状塗布体をスプリングで弾発し、不使用時に、球状塗布体をチップの内向きの先端縁に密着させ、球状塗布体とチップの先端縁で弁構造を構成して塗布液が吐出しないようにしている。
【０００３】
使用時において、球状塗布体を塗布面に押し付けると球状塗布体がスプリングの弾発力に抗して後退し、球状塗布体とチップの先端縁との間に隙間ができるので、球状塗布体のチップ内の部分に付着した塗布液が球状塗布体の回転に伴ってこの隙間を通ってチップの外側に出て塗布される。
【０００４】
塗布液タンクに充填された造膜性の塗布液は、顔料が溶媒内に分散したものであるので、長時間放置しておくと、顔料が溶媒と分離して沈降する。このため、塗布液タンク内に球状や棒状の撹拌部材を配置し、使用に先だって、塗布具を振って上下動する撹拌部材で塗布液を撹拌し、分離した顔料を溶媒に分散させる必要がある。
【発明の開示】
【発明が解決しようとする課題】
【０００５】
直径がφ１ｍｍ程度の球状塗布体を回転自由に抱持したチップは外径がφ３ｍｍ程度であり、このチップか軸筒や先口先端の中心孔の中腹部まで嵌着されている。従って、先口の中心孔の内径もφ３ｍｍ程度である。一方、塗布液タンクの内径はφ８ｍｍ程度であり、塗布液タンク内に配置された撹拌子の外径はφ６ｍｍ程度である。このため、塗布具を上下に振っても、撹拌子は先口の中心孔内に侵入しないので、先口の中心孔のチップが嵌着されていない部分に沈降した顔料を撹拌することができない。
【０００６】
ところで、塗布具が製造されてからユーザーの手に渡るまでに長期間経過することがあり、この場合はチップ内において塗布液の顔料が沈降する可能性が高い。このように、チップ内において塗布液の顔料が沈降すると、顔料が沈降した塗布液を撹拌できないために、ユーザーが最初に使用するとき（初筆時）に塗布液がチップ先端からスムーズに吐出しない不具合がある。
【０００７】
そこで本発明は、初筆時に塗布液がチップの先端からスムーズに吐出する塗布具を提供することを目的とする。
【課題を解決するための手段】
【０００８】
かかる目的を達成するために、請求項１の発明は、先端の中心孔に球状塗布体を回転自由に抱持したチップを嵌着し、この中心孔に連通する押出し管を有する先口を軸筒の先端開口に取り付け、先端開口が詰め栓で封止されて内部に塗布液が充填されるとともに撹拌子が収容された塗布液タンクを、この先端開口が押出し管に仮止めされた状態で軸筒内に収容し、初筆時において軸筒の尾端部に螺進可能に取り付けられた尾端筒から突出する塗布液タンクの尾端部を押し込むと、塗布液タンク先端の嵌着部が押出し管に嵌着されて押出し管によって塗布液タンクの詰め栓が後退して先端開口の封止が解除され、塗布液がチップに供給されて塗布可能となり、塗布液タンクを押し込んだ後に、尾端筒をねじ込んで螺進させ、尾端筒の内部に形成された内段を塗布液タンクの外段に当接させる。
また、請求項２の発明は、請求項１の発明において、軸筒と尾端筒の間にスペーサを介装し、塗布液タンクを押し込んだ後、このスペーサを除去して尾端筒を螺進させる。
【発明の効果】
【０００９】
初筆時において軸筒の尾端開口から突出する塗布液タンクの尾端部を押し込むと、塗布液タンク先端の嵌着部が押出し管に嵌着されて押出し管によって塗布液タンクの詰め栓が後退して先端開口の封止が解除され、塗布液タンク内の塗布液が初めてチップに供給されるので、初筆時に塗布液がチップの先端からスムーズに吐出する。そして、塗布具を上下に振って塗布液を撹拌すると、撹拌子が塗布液タンクの底面に衝突し、その衝撃で塗布液タンクが後退して押出し管との嵌着が緩み、塗布液が漏れ出す危険性があるが、塗布液タンクを押し込んだ後に、尾端筒を螺進させて尾端筒の内部に形成された内段を塗布液タンクの外段に当接させるので、撹拌子が塗布液タンクの底面に衝突しても塗布液タンクは後退せず、嵌着が緩むことがない。
【００１０】
また、軸筒と尾端筒の間にスペーサを介装しておくと、初筆以前において軸筒と尾端筒の間に隙間ができずに外観上好都合であり、また、不用意に尾端筒を螺進させることがない。
【発明を実施するための最良の形態】
【００１１】
初筆時に塗布液がチップの先端からスムーズに吐出する目的を、初筆時において軸筒の尾端開口から突出する塗布液タンクの尾端部を押し込むと、押出し管によって塗布液タンクの詰め栓が後退して先端開口の封止が解除され、塗布液タンク内の塗布液が初めてチップに供給されるようにする簡単な構造で実現した。
【実施例１】
【００１２】
以下に、図面に基づいて本発明の実施の形態を具体的に説明する。図１は塗布具が出荷される前の状態を示す断面図であるが、図１において、軸筒１０は、合成樹脂、例えばナイロンやＰＢＴなどで成形されたものであり、肉厚は０．５〜１．０ｍｍの範囲の薄肉なものであり、例えば０．６ｍｍである。同じく合成樹脂で成形された尾端筒５０は、その尾端開口５１の近傍内面に内段５２が形成され、先端部に外ねじ５９が形成ている。そして、軸筒１０の尾端部には内ねじ１９が形成されており、内ねじ１９と外ねじ５９が螺合しているが、内ねじ１９と外ねじ５９は完全にはねじ込まれておらず、軸筒１０と尾端筒５０の隙間があり、この隙間、合成樹脂で成形されたスペーサー６０が介装されている。スペーサー６０は、図５に示すようなＣ字型をしており、スペーサー６０の端縁６２を指先で引っ掛けて弾性変形させると開口部６１が容易に拡開して取り除くことができる。
【００１３】
軸筒１０の先端開口には先口２０が取り付けられている。なお、軸筒１０と先口２０を一体に成形したものであってもよい。先口２０の中心孔２１にチップ３０が嵌着されている。また、先口２０内部には尾端側に突出する筒状の押出し管２２が形成されており、押出し管２２の内面は中心孔２１に連通している。また、不使用時には、軸筒１０先端部にキャップ７０が嵌着される。
【００１４】
チップ３０は、ステンレスにて砲弾型に形成されており、チップ３０先端のボールハウスに、直径が例えばφ１．０ｍｍの超硬ボールからなる球状塗布体３１がその一部がチップ３０の先端から臨出した状態で回転自由に抱持されたボールペンタイプである。なお、チップ３０は金属パイプからなるものであってもよい。そして、チップ３０内には、質量の小さなスプリング３２が配置されており、このスプリング３２が球状塗布体３１を弾発してチップ３０の内向きの先端縁に圧接している。つまり、球状塗布体３１とチップ３０の先端縁とで弁機構を構成し、不使用時に塗布液がチップ３０の先端から吐出しないようになっている。
【００１５】
塗布液タンク４０は、軸筒１０と同じく、合成樹脂、例えばナイロンやＰＢＴなどで有底筒状に成形されたものであり、肉厚は０．５〜１．０ｍｍの範囲の薄肉なものであり、例えば０．６ｍｍである。塗布液タンク４０の先端部には先端開口部材４１が嵌着されており、金属球からなり、攪拌子を兼ねる詰め栓４２が先端開口部材４１先端部分の封止部４１ａに圧入されている。つまり、塗布液タンク４０の先端開口は詰め栓４２によって封止されている。この封止部４１ａの先端部分が内径が封止部４１ａよりも小径の嵌着部４１ｂである。そして、塗布液タンク４０内には、例えば粘度が３０〜４０ｃｐｓであって、溶媒に顔料が分散した造膜性の高い修正液である塗布液（図示せず）が充填されている。塗布液内には金属棒からなる２個の攪拌子４３が配置されている。また、塗布液タンク４０の尾端部には外段４９が形成されている。
【００１６】
かかる塗布液タンク４０が軸筒１０内に配置されており、塗布液タンク４０の尾端部４０ａが尾端筒５０の尾端開口１１から突出しているが、嵌着部４１ｂが押出し管２２の尾端部に嵌着されて仮止めされるとともに、外段４９が尾端筒５０の内段５２に当接して塗布液タンク４０が軸筒１０から抜け落ちないようになっている。したがって、出荷時においては、押出し管２２の尾端部は塗布液タンク４０の封止部４１ａ内には入り込んでおらず、詰め栓４２は封止部４１ａに圧入された状態であり、塗布液タンク４０は開封されていない。つまり、チップ３０内には、塗布液は存在しない。
【００１７】
しかして、最初の使用に際してユーザーは、図２に示すように、尾端筒５０の尾端開口５１から突出した塗布液タンク４０の尾端部４０ａを押し込むと、塗布液タンク４０が前進し、押出し管２２が封止部４１ａに大きく入り込むとともに、押出し管２２は嵌着管４１ｂに嵌着する。これにより、押出し管２２の尾端面が詰め栓４２を塗布液タンク４０内に押しやり、塗布液タンク４０の先端開口は開封される。したがって、初筆時において塗布液がチップ３０先端からスムーズに吐出する。そして、塗布液タンク４０内に押しやられた詰め栓４２は攪拌子として働く。
【００１８】
塗布液タンク４０を押し込んで前進させると、塗布液タンク４０の外段４９は尾端筒５０の内段５２から離れる。したがって、この状態で塗布具を上下に振って撹拌すると、撹拌子４３が塗布液タンク４０の底面に衝突し、その衝撃で塗布液タンク４０が後退し、押出し管２２と嵌着管４１ｂの嵌着が緩んで塗布液が漏れ出す危険性がある。そこで、図３に示すように、スペーサー６０を取り除き、尾端筒５０を軸筒１０に対してねじ込むと、尾端筒５０が前進し、図４に示すように、尾端筒５０の内段５２が塗布液タンク４０の外段４９に当接する。したがつて、この状態で塗布具を上下に振って撹拌したときに、撹拌子４３が塗布液タンク４０の底面に衝突しても塗布液タンク４０は後退せず、押出し管２２と嵌着管４１ｂの嵌着が緩むことがない。
【図面の簡単な説明】
【００１９】
【図１】出荷時の状態を示す断面図である。
【図２】塗布液タンクを押し込んだ状態の断面図である。
【図３】スペーサーを取り除いた状態の断面図である。
【図４】押使用開始時の状態を示す断面図である。
【図５】スペーサーの平面図と正面図である。
【符号の説明】
【００２０】
１０    軸筒
２０    先口
２１    先口の中心孔
２２    押出し管
３０    チップ
３１    球状塗布体
３２    スプリング
４０    塗布液タンク
４０ａ  塗布液タンクの尾端部
４１    先端開口部材
４１ａ  封止部
４１ｂ  嵌着部
４２    詰め栓
４３    攪拌子
４９    外段
５０    尾端筒
５１    尾端筒の尾端開口
５２    内段
６０    スペーサー
７０    キャップ
【図１】
2005144971.tif 000003
【図２】
2005144971.tif 000004
【図３】
2005144971.tif 000005
【図４】
2005144971.tif 000006
【図５】
2005144971.tif 000007